(57)【要約】【課題】  通常の開閉操作を行える上に、全開位置ではさらにスライドさせて閉成状態を形成することができる携帯機器を提供する。【解決手段】  第１筐体１１と第２筐体１２からなり、開閉機構１を用いて第１筐体１１の上面を第２筐体１２で覆う閉成状態と、第１筐体１１の上面を露出させる開成状態とを形成する携帯機器であって、開閉機構１により、第１筐体１１と第２筐体１２をその一端部を支点として開閉して第１筐体１１と第２筐体１２の閉成位置と中間開成位置と全開位置を形成できた上で、全開位置において直線方向にスライドさせて第１筐体１１と第２筐体１２が互いに重なり合うスライド位置を形成できるように構成したことにより、前記課題を解決した。【選択図】        図３
2006266453.tif 000002
【特許請求の範囲】
【請求項１】
第１筐体と第２筐体からなり、開閉機構を用いて前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成する携帯機器であって、
前記開閉機構により、前記第１筐体と前記第２筐体をその一端部を支点として開閉して前記第１筐体と前記第２筐体の閉成位置と中間開成位置と全開位置を形成できた上で、前記全開位置において、直線方向にスライドさせて前記第１筐体と前記第２筐体が互いに重なり合うスライド位置を形成できるように構成したことを特徴とする、携帯機器。
【請求項２】
前記開閉機構を、
前記第１筐体と前記第２筐体のいずれか一方に設けられた係合凸部と、
前記第１筐体と前記第２筐体のいずれか他方に設けられ、前記係合凸部と係合して前記第１筐体と前記第２筐体を互いに回動可能に支持する回動凹部と、
この回動凹部に連通すると共に、前記係合凸部と係合して前記第１筐体と前記第２筐体を互いにスライド可能に支持するスライド凹部と、
前記第１筐体と前記第２筐体の回動を制御する回動カム機構と、
前記全開位置において前記第１筐体と前記第２筐体のスライドを許容するスライド制御機構と、
で構成したことを特徴とする、請求項１に記載の携帯機器。
【請求項３】
前記係合凸部が、シャフトと、このシャフトの外周にその軸周りに回動可能に設けられ、前記第１筐体と前記第２筐体のいずれか他方と共に回動するカムとを有し、
前記スライド制御機構が、前記シャフトを貫通する貫通孔が偏心位置に設けられた前記カムと、前記回動凹部に偏心されて連通されている前記スライド凹部と、で構成されていることを特徴とする、請求項２に記載の携帯機器。
【請求項４】
前記シャフトの先端部に、この先端部から出没可能で突出方向に付勢されているスライド凸部を有するボールユニットを設け、前記スライド凹部に、前記スライド凸部が摺動する摺動部を設けたことを特徴とする、請求項３に記載の携帯機器。
【請求項５】
前記ボールユニットが、前記シャフトに取り付けられ、出没孔を有するケース体と、このケース体内に前記出没孔から出没可能に収容される前記スライド凸部であるボールベアリングと、前記ケース体内に収容され、前記ボールベアリングを突出方向に付勢する付勢部材とで構成されていることを特徴とする、請求項４に記載の携帯機器。
【請求項６】
前記係合凸部がシャフトを有し、
前記回動カム機構が、前記シャフトの先端部の外周にその軸周りに回動可能であってその軸方向に移動可能に設けられた第１カムと、前記シャフトの軸方向に移動可能で前記第１カムと面接触する第２カムと、該第２カムを前記第１カムに付勢する付勢手段と、前記第１カムの接触面と前記第２カムの接触面の少なくとも一方に設けられるカム凸部と、このカム凸部と係合して前記第１筐体と前記第２筐体の位置を所定の位置にロック状態に保持し、前記カム凸部と対向する前記第１カムの接触面及び／又は前記第２カムの接触面に設けられるカム凹部と、前記回動凹部に設けられ、前記第１筐体と前記第２筐体が互いに回動するとき、この回動に伴って前記第１カムのみを前記シャフトに対して回動させるカム回動部と、で構成されていることを特徴とする、請求項２〜５のいずれか１項に記載の携帯機器。
【請求項７】
前記第１筐体と前記第２筐体のいずれか一方にケースを固定し、このケースに、前記シャフトを設け、このシャフトに、前記ケースに係合して前記シャフトの軸周りの回動が抑制される前記第２カムを設け、前記シャフトの先端部の外周に前記第１カムを設け、前記第２カムと前記ケースとの間に前記付勢手段を設けて、開閉ユニットを構成したことを特徴とする、請求項６に記載の携帯機器。
【請求項８】
前記第１筐体と前記第２筐体のいずれか一方の筐体を、その両側部を立設したコ字状に形成し、これらの両側部の内側の一端部近傍に、前記開閉ユニットをそれぞれ固定し、前記第１筐体と前記第２筐体のいずれか他方の筐体の両側部に、その長手方向に延びる前記スライド凹部を設け、かつ、このスライド凹部の一端部に前記回動凹部を設けたことを特徴とする、請求項７に記載の携帯機器。
【発明の詳細な説明】
【技術分野】
【０００１】
本発明は、携帯電話機などを構成する第１筐体と第２筐体を互いに開閉させる際に用いられて好適な携帯機器に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体を互いにヒンジ機構によって回動可能に連結した２つ折りの携帯電話機が市場に出回っている。この２つ折りの携帯電話機は、第１筐体の上面後部に対して第２筐体がヒンジ機構を介して回動可能に連結されており、第１筐体の上面の送話部に第２筐体を重ね合わせて密着させ送話部を閉塞させることができると共に、重ね合わせた状態（閉成状態）を解いてその送話部を露出させることができる。携帯電話機としては、第１筐体と第２筐体が完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている（例えば、特許文献１参照。）。
【特許文献１】特開２００４−２３５８９７号公報
【発明の開示】
【発明が解決しようとする課題】
【０００３】
ところで、従来の携帯電話機は、通常、第１筐体と第２筐体を互いに縦方向に回動させることによって開閉操作を行うものであり、また、第１筐体と第２筐体を互いにスライドさせることによって開閉操作を行うものもあるが、通常の開閉操作とスライド動作による開閉操作のどちらも行えるものはなかった。しかるに、近年、携帯電話機としては、通話機能の他にインターネット等の通信回線を利用した機能等の多種多様な機能を備えたものが市場に出回っている。このため、例えば、ＬＣＤなどのディスプレイ部に動画を表示させてその動画を観る場合には、通常の回動による開操作を行って携帯電話機を開いた状態のままにしておく必要はなく、ディスプレイ部を上側にした状態で第１筐体と第２筐体を相対的にスライドさせて、互いに重ね合わせてしまうようにすれば、操作性が向上することになる。
【０００４】
本発明は、前記課題を解決するためになされたものであって、その目的は、通常の開閉操作を行える上に、全開位置ではさらにスライドさせて閉成状態を形成することができる携帯機器を提供することにある。
【課題を解決するための手段】
【０００５】
前記の目的を達成するための本発明に係る携帯機器は、第１筐体と第２筐体からなり、開閉機構を用いて前記第１筐体と前記第２筐体のいずれか一方の筐体の上面を前記第１筐体と前記第２筐体のいずれか他方の筐体で覆う閉成状態と、前記一方の筐体の上面を露出させる開成状態とを形成する携帯機器であって、前記開閉機構により、前記第１筐体と前記第２筐体をその一端部を支点として開閉して前記第１筐体と前記第２筐体の閉成位置と中間開成位置と全開位置を形成できた上で、前記全開位置において、直線方向にスライドさせて前記第１筐体と前記第２筐体が互いに重なり合うスライド位置を形成できるように構成したことを特徴とする。
【０００６】
この発明によれば、第１筐体と第２筐体をその一端部を支点として開閉して第１筐体と第２筐体の閉成位置と中間開成位置と全開位置を形成でき、さらに、全開位置において直線方向にスライドさせて第１筐体と第２筐体が互いに重なり合う閉成状態であるスライド位置を形成できることにより、通常の回動による開閉とスライドによる開閉の両方の動作を行えるので、操作性が向上する。
【０００７】
本発明に係る携帯機器において、前記開閉機構を、前記第１筐体と前記第２筐体のいずれか一方に設けられた係合凸部と、前記第１筐体と前記第２筐体のいずれか他方に設けられ、前記係合凸部と係合して前記第１筐体と前記第２筐体を互いに回動可能に支持する回動凹部と、この回動凹部に連通すると共に、前記係合凸部と係合して前記第１筐体と前記第２筐体を互いにスライド可能に支持するスライド凹部と、前記第１筐体と前記第２筐体の回動を制御する回動カム機構と、前記全開位置において前記第１筐体と前記第２筐体のスライドを許容するスライド制御機構と、で構成することが好ましい。また、本発明に係る携帯機器において、前記係合凸部が、シャフトと、このシャフトの外周にその軸周りに回動可能に設けられ、前記第１筐体と前記第２筐体のいずれか他方と共に回動するカムとを有し、前記スライド制御機構が、前記シャフトを貫通する貫通孔が偏心位置に設けられた前記カムと、前記回動凹部に偏心されて連通されている前記スライド凹部と、で構成されていることが好ましい。また、本発明に係る携帯機器において、前記シャフトの先端部に、この先端部から出没可能で突出方向に付勢されているスライド凸部を有するボールユニットを設け、前記スライド凹部に、前記スライド凸部が摺動する摺動部を設けることが好ましい。また、本発明に係る携帯機器において、前記ボールユニットが、前記シャフトに取り付けられ、出没孔を有するケース体と、このケース体内に前記出没孔から出没可能に収容される前記スライド凸部であるボールベアリングと、前記ケース体内に収容され、前記ボールベアリングを突出方向に付勢する付勢部材とで構成されていることが好ましい。
【０００８】
本発明に係る携帯機器において、前記係合凸部がシャフトを有し、前記回動カム機構が、前記シャフトの先端部の外周にその軸周りに回動可能であってその軸方向に移動可能に設けられた第１カムと、前記シャフトの軸方向に移動可能で前記第１カムと面接触する第２カムと、該第２カムを前記第１カムに付勢する付勢手段と、前記第１カムの接触面と前記第２カムの接触面の少なくとも一方に設けられるカム凸部と、このカム凸部と係合して前記第１筐体と前記第２筐体の位置を所定の位置にロック状態に保持し、前記カム凸部と対向する前記第１カムの接触面及び／又は前記第２カムの接触面に設けられるカム凹部と、前記回動凹部に設けられ、前記第１筐体と前記第２筐体が互いに回動するとき、この回動に伴って前記第１カムのみを前記シャフトに対して回動させるカム回動部とで構成されていることが好ましい。また、本発明に係る携帯機器において、前記第１筐体と前記第２筐体のいずれか一方にケースを固定し、このケースに、前記シャフトを設け、このシャフトに、前記ケースに係合して前記シャフトの軸周りの回動が抑制される前記第２カムを設け、前記シャフトの先端部の外周に前記第１カムを設け、前記第２カムと前記ケースとの間に前記付勢手段を設けて、開閉ユニットを構成することが好ましい。また、本発明に係る携帯機器において、前記第１筐体と前記第２筐体のいずれか一方の筐体を、その両側部を立設したコ字状に形成し、これらの両側部の内側の一端部近傍に、前記開閉ユニットをそれぞれ固定し、前記第１筐体と前記第２筐体のいずれか他方の筐体の両側部に、その長手方向に延びる前記スライド凹部を設け、かつ、このスライド凹部の一端部に前記回動凹部を設けることが好ましい。
【発明の効果】
【０００９】
以上説明したように本発明に係る携帯機器によれば、第１筐体と第２筐体をその一端部を支点として開閉して第１筐体と第２筐体の閉成位置と中間開成位置と全開位置を形成でき、さらに、全開位置において直線方向にスライドさせて第１筐体と第２筐体が互いに重なり合う閉成状態であるスライド位置を形成できるので、通常の回動による開閉とスライドによる開閉の両方の動作を行え、操作性が向上する。
【発明を実施するための最良の形態】
【００１０】
以下、本発明に係る携帯機器を添付図面に基づいて詳述する。
【００１１】
図１及び図２は本発明に係る携帯機器である携帯電話機の一例を示す図である。図３は本発明に係る開閉機構の一例を示す図である。本発明に係る携帯機器は、図１〜図３に示すように、第１筐体１１と第２筐体１２からなり、開閉機構を用いて第１筐体１１と第２筐体１２のいずれか一方の筐体例えば第１筐体１１の上面を第１筐体１１と前記第２筐体１２のいずれか他方の筐体例えば第２筐体１２で覆う閉成状態（図１（ａ）及び（ｃ）参照。）と、第１筐体１１の上面を露出させる開成状態（図１（ｂ）及び図２参照。）とを形成するものである。
【００１２】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１０について説明するが、これに限定されるものではない。
【００１３】
第１筐体１１は、携帯電話機１０の送話部を構成するものであり、キーボード部１１ａやマイク部１１ｂ等を上面に有している。第１筐体１１は、両側部１３、１３が上面から上方にそれぞれ突出した略コ字状であって平面視細長の略矩形状に形成されている。第２筐体１２は、同じく携帯電話機１０の受話部を構成するものであり、ＬＣＤなどのディスプレイ部１２ａ、スピーカー部１２ｂ等を一方の面に有している。第２筐体１２は、長手方向の長さが第１筐体１１の長手方向の長さと略同じ寸法であると共に、幅方向の長さが第１筐体１１の両側部１３、１３間の長さより短い、例えば、若干短い寸法の略矩形状に形成されている。また、第２筐体１２の厚さは、例えば、第１筐体１１の側部１３の高さと略同じ寸法で形成されており、この第２筐体１２が第１筐体１１の側部１３、１３間に嵌合されて第１筐体１１に重ね合すことができるようになっている。
【００１４】
これらの第１筐体１１と第２筐体１２とが互いに重ね合わされた閉成状態から例えば第１筐体１１に対して第２筐体１２を回動させたり、その長手方向の直線方向に相対的にスライド移動させたりし得るように第１筐体１１と第２筐体１２とが開閉機構１を介して連結されて携帯電話機１０が構成されている。すなわち、この携帯電話機１０は、第１筐体１１の上面に第２筐体１２の一方の面が互いに重ね合わされてキーボード部１１ａ等を閉塞すると共に、第１筐体１１の上面から第２筐体１２が移動してキーボード部１１ａ等を露出させることができるようになっている。
【００１５】
本発明に係る携帯電話機１０は、開閉機構１により、第１筐体１１と第２筐体１２をその一端部を支点として開閉して第１筐体１１と第２筐体１２の閉成位置と中間開成位置と全開位置を形成できた上で、全開位置において直線方向にスライドさせて第１筐体１１と第２筐体１２が互いに重なり合うスライド位置を形成できるように構成したことに特徴がある。本発明に係る開閉機構１は、第１筐体１１と第２筐体１２のいずれか一方例えば第１筐体１１に設けられた係合凸部２と、係合凸部２と係合して第１筐体１１と第２筐体１２を互いに回動可能に支持し、第１筐体１１と第２筐体１２のいずれか他方例えば第２筐体１２に設けられた回動凹部３と、この回動凹部３に連通すると共に、係合凸部２と係合して第１筐体１１と第２筐体１２を互いにスライド可能に支持するスライド凹部４と、第１筐体１１と第２筐体１２の回動を制御する回動カム機構５と、全開位置において第１筐体１１と第２筐体１２のスライドを許容するスライド制御機構６と、で構成したことに特徴がある。
【００１６】
係合凸部２は、回動凹部３と係合して第１筐体１１と第２筐体１２を互いに回動可能に支持すると共に、スライド凹部４と係合して第１筐体１１と第２筐体１２を互いにスライド可能に支持するものである。係合凸部２は、特に限定されず、シャフト２１を有する開閉ユニット２０で形成されていることが好ましい。
【００１７】
開閉ユニット２０は、図３〜図５に示すように、第１筐体１１の側部１３の内面の先端部（マイク部１１ｂが設けられている側とは反対側の端部）近傍のユニット収容部１４に嵌合されて収容されている。開閉ユニット２０は、例えば、ユニット収容部１４に嵌合されて収容されるケース２２と、このケース２２に設けられるシャフト２１と、このシャフト２１に設けられる第１カム２３及び第２カム２４と、第２カム２４とケース２２との間に設けられる付勢手段２５と、で構成されていることが好ましい。
【００１８】
ケース２２は、ユニット収容部１４に嵌合されて収容される有底の略矩形筒状に形成されている。ケース２２の両側部は、湾曲状に形成されていることが好ましい。ケース２２の底部には、シャフト２１が貫通される貫通孔２２ａが設けられている。貫通孔２２ａは、シャフト２１の径より大きな径、例えば若干大きな径で形成されていることが好ましい。
【００１９】
シャフト２１は、例えば、中空状、すなわち円筒状に形成されている。シャフト２１の先端部は、拡径されたフランジ部２１ａとして形成されている。シャフト２１の後端部近傍の外周には、Ｅリング取付部２１ｂが設けられており、シャフト２１の後端部を貫通孔２２ａに貫通させてケース２２の底部からワッシャー２８を介して露出させたＥリング取付部２１ｂにＥリング２９を取り付けることによってシャフト２１がケース２２に固定される。また、シャフト２１の先端面には、ボールユニット７０を収容するボールユニット収容部２１ｃが設けられている。
【００２０】
第１カム２３、第２カム２４及び付勢手段２５が回動カム機構５の主たる構成要素であり、この回動カム機構５は、例えば、第１筐体１１に対して第２筐体１２を所定の位置にロック状態に保持するものである。回動カム機構５は、例えば、第１筐体１１に対して第２筐体１２を０°〜１８０°の角度の範囲で回動し得る場合、０°、１５０°及び１８０°の３つの角度でロック状態に保持するように構成されていることが好ましい。この場合の角度とは、第１筐体１１の長手方向に延びる直線と第２筐体１２の長手方向に延びる直線との角度（回動角度ということがある。）であり、この角度が０°のときに、第１筐体１１と第２筐体１２が互いに重なり合った閉成状態となるように第１筐体１１が第２筐体１２に開閉機構１を介して連結されていることが好ましい。なお、本発明において０°というときには、０°前後を含むものとする。また、本発明において１５０°というときには、１５０°前後を含むものとする。また、本発明において１８０°というときには、１８０°前後を含むものとする。
【００２１】
回動カム機構５は、シャフト２１の先端部の外周にその軸周りに回動可能であってその軸方向に移動可能に設けられた第１カム２３と、シャフト２１の軸方向に移動可能で第１カム２３と面接触する第２カム２４と、第２カム２４を第１カム２３に付勢する付勢手段２５と、第１カム２３の接触面と第２カム２４の接触面の少なくとも一方の面例えば第１カム２３の接触面に設けられるカム凸部２６と、第１カム２３の接触面と第２カム２４の接触面の少なくとも他方の面例えば第２カム２４の接触面他方に設けられ、カム凸部２６と係合して第１筐体１１と第２筐体１２の位置を所定の位置にロック状態に保持するカム凹部２７と、回動凹部３に設けられ、第１筐体１１と第２筐体１２が互いに回動するとき、第１カム２３及び第２カム２４のうち第１カム２３にのみ係合して第１筐体１１と第２筐体１２のいずれか他方と共に第１カム２３を回動させるカム係合部３２と、で構成されている。
【００２２】
第１カム２３は、例えば、ケース２２と略同じ形状に形成されている。すなわち、第１カム２３は、両側部が湾曲状に形成された略矩形状に形成され、この中央部には、シャフト２１が貫通する貫通孔２３ａが設けられている。この貫通孔２３ａは、シャフト２１の径より大きな径であってフランジ部２１ａより径が小さな寸法、例えばシャフト２１の径より若干大きな寸法で形成されていることが好ましい。第１カム２３の先端面（接触面とは反対側の面）には、シャフト２１のフランジ部２１ａが嵌合するシャフト嵌合部２３ｂが設けられており、取付時、シャフト２１の先端面と第１カム２３の先端面とが略同一平面上に位置されるようになっている。
【００２３】
第１カム２３の接触面（第１カム面ということがある。）には、例えば、カム凸部２６が２つ設けられている。これらのカム凸部２６は、１８０°間隔で第１カム面に設けられている。すなわち、２つのカム凸部２６は対称に第１カム面に設けられている。これらのカム凸部２６の形状は、特に限定されないが、先端部がＲ形状の略三角形状に突出して形成されている。カム凸部２６間のカム面（カム凸部以外のカム面）は、平面状に形成されていることが好ましい。
【００２４】
第２カム２４は、第１カム２３と同様に、例えば、ケース２２と略同じ形状に形成されている。すなわち、第２カム２４は、両側部が湾曲状に形成された略矩形状に形成され、この中央部には、シャフト２１が貫通する貫通孔２４ａが設けられている。この貫通孔２４ａは、シャフト２１の径より大きな径であってフランジ部２１ａより径が小さな寸法、例えばシャフト２１の径より若干大きな寸法で形成されていることが好ましい。第２カム２４の両側部には、ケース２２と係合して第２カム２４のシャフト２１の軸周りの回転を防止する回転防止部２４ｂが設けられており、第２カム２４はシャフト２１の軸方向に移動可能であるが、その軸周りに回転できないようになっている。
【００２５】
第２カム２４の接触面には、カム凸部２６とそれぞれ係合するカム凹部２７が４つ設けられている。４つのカム凹部２７のうちの２つは、１８０°間隔で、対称に接触面に設けられており、例えば、回動角度が０°及び１８０°で２つのカム凸部２６と係合するように配置されていることが好ましい。また、残りの２つのカム凹部２７は、１８０°間隔で、対称に接触面に設けられており、例えば、回動角度が１５０°で２つのカム凸部２６と係合するように配置されていることが好ましい。また、４つのカム凹部２７以外の接触面は、平面状に形成されていることが好ましい。また、第２カム２４の残りの面（付勢面ということがある。）は、平面状に形成されていることが好ましい。この付勢面とケース２２の底部との間には、付勢手段２５が設けられている。
【００２６】
付勢手段２５は、例えば、圧縮コイルスプリング２５ａ等である。圧縮コイルスプリング２５ａは、例えば、２つ設けられており、それぞれ一端部が第２カム２４の付勢面に当接されていると共に、他端部がケース２２の底部に当接され、第２カム２４を第１カム２３に押圧するように付勢するものである。これにより、第１カム２３と第２カム２４との間に作用する摩擦力がそれぞれ大きくなって第１筐体１１と第２筐体１２をその回動範囲の任意の位置で停止することができるようになっている。
【００２７】
すなわち、第１筐体１１の上面が第２筐体１２のディスプレイ部１２ａを有する面で覆われた状態が閉成状態（第１閉成状態ということがある。）である。このときの回動角度が０°であり、第１筐体１１と第２筐体１２とが閉成位置にある。この閉成位置から第１筐体１１と第２筐体１２が開成方向に相対的に回動して回動角度が１５０°になると、カム凸部２６がカム凹部２７に入り込んで係合してロック状態に保持される。この状態が中間開成状態で、第１筐体１１と第２筐体１２における中間開成位置である。さらに中間開成位置から第１筐体１１と第２筐体１２を開成方向に相対的に回動させて回動角度が１８０°になると、カム凸部２６がカム凹部２７に入り込んで係合してロック状態に保持される。この状態が全開開成状態で、第１筐体１１と第２筐体１２における全開位置である。なお、係合凸部２を第１筐体１１に設けると共に回動凹部３及びスライド凹部４を第２筐体１２に設けて第１筐体１１と第２筐体１２とを互いに開閉させるようにしたが、係合凸部を第２筐体に設けると共に回動凹部及びスライド凹部を第１筐体に設けて第１筐体と第２筐体とを互いに開閉させるようにしてもよい。
【００２８】
ボールユニット７０は、例えば、ケース体７１と蓋体７２とスライド凸部であるボールベアリング７３と受座部材７４と付勢部材である圧縮コイルスプリング７５とで構成されており、シャフト２１の先端面のボールユニット収容部２１ｃに収容されたとき、シャフト２１の先端面からボールベアリング７３の一部のみが突出するようになっている。
【００２９】
ケース体７１は、略円筒状に形成されている。ケース体７１の内形は、円形に形成されているが、略中央部から一端部（先端部ということがある。）にかけて漸次縮径されて形成されている。すなわち、ケース体７１の先端部の開口部（出没孔７１ａということがある。）は、他端部（後端部ということがある。）の開口部より径が小さな寸法の径で形成されている。ケース体７１の外形は、長円状に形成され、その先端部がさらに細長い長円状に形成されてフランジ部７１ｂとなっている。
【００３０】
このケース体７１内に、ボールベアリング７３が収容されている。ボールベアリング７３は、出没孔７１ａの径より大きな、例えば、若干大きな寸法の径で形成されており、ケース体７１内に収容された状態で出没孔７１ａから一部が突出し得るようになっている。
【００３１】
ケース体７１の後端部の開口部は、蓋体７２により閉塞されている。蓋体７２は、後端部の開口部を閉塞するものであり、例えば、ケース体７１の外形と略同じ形状の長円状に形成されている。この蓋体７２は、ケース体７１の後端部の開口部を閉塞した状態で、例えば、超音波溶接によりケース体７１に固定されている。これにより、ボールベアリング７３は、ケース体７１から出ないようになっている。この蓋体７２が固定されたケース体７１がボールユニット収容部２１ｃに嵌合されて収容されると、ケース体７１の先端部がシャフト２１の先端面と略同一平面上になるように、ケース体７１及び蓋体７２の形状及び寸法等が形成されている。
【００３２】
また、このケース体７１内には、ボールベアリング７３を支承する受座部材７４が収容されている。受座部材７４は、略円柱状に形成されている。受座部材７４の一端部には、ボールベアリング７３を回転可能に支承するボールベアリング７３の径と同じ径の半球状の支承部７４ａが設けられている。また、受座部材７４の他端部には、付勢部材である圧縮コイルスプリング７５の一端部が嵌装されるスプリング嵌挿部７４ｂが設けられている。圧縮コイルスプリング７５の他端部は、蓋体７２の内面に当接しており、ボールベアリング７３に他の力が作用しない場合には、圧縮コイルスプリング７５の付勢力により受座部材７４を介してボールベアリング７３の一部が出没孔７１ａから常に突出するようになっている。すなわち、シャフト２１の先端面のボールユニット収容部２１ｃにボールユニット７０が収容されたとき、シャフト２１の先端面からボールベアリング７３の一部が突出するようになっている。
【００３３】
回動凹部３は、図６及び図７に示すように、係合凸部２と係合して第１筐体１１と第２筐体１２を互いに回動可能に支持するものである。回動凹部３は、例えば、第２筐体１２の両側部のスピーカー部１２ｂ側の端部近傍にそれぞれ設けられている。回動凹部３は、第１筐体１１の側部１３のユニット収容部１４に収容されてその側部１３から突出している係合凸部２である開閉ユニット２０の第１カム２３及び第２カム２４が挿入されて係合されるものである。回動凹部３は、第１カム２３が挿入される第１凹部３１と第２カム２４が挿入される第２凹部３２（カム係合部３２ということがある。）との２段に形成されている。
【００３４】
第１凹部３１は、第１カム２３が嵌合されて挿入される形状に形成されている。すなわち、第１凹部３１は、例えば、第１カム２３の一方の側部が接触又は近接する湾曲部３１ａと、第１カム２３の上部及び下部がそれぞれ接触又は近接する直線カム部３１ｂとで形成されており、第１筐体１１と第２筐体１２が互いに回動したとき、第２筐体１２と共に第１カム２３が回動する、すなわち、第１カム２３のみがシャフト２１に対して回動するようになっている。
【００３５】
第２凹部３２は、第２カム２４が挿入される形状、例えば、第２カム２４の両側部の湾曲の径より若干大きな径の円形状、実際には円弧状に形成されており、第１筐体１１と第２筐体１２が互いに回動したとき、第１筐体１１及びシャフト２１と共に第２カム２４が回動するようになっている。これにより、第１筐体１１のユニット収容部１４に収容された開閉ユニット２０の第１カム２３及び第２カム２４が回動凹部３の第１凹部３１及び第２凹部３２にそれぞれ挿入されて係合されることにより、第１筐体１１と第２筐体１２が互いに回動角度が０°〜１８０°の範囲で回動し得るようになっている。
【００３６】
スライド凹部４は、開閉ユニット２０の第１カム２３及び第２カム２４と係合して第１筐体１１と第２筐体１２を互いに回動することなく直線方向にスライド可能に支持するものである。スライド凹部４は、回動凹部３と連通するガイド溝であり、第２筐体１２の両側部にその長手方向に延び、先端部から後端部にかけて直線状に形成されている。
【００３７】
スライド凹部４は、第１凹部３１の直線カム部３１ｂ間と連通された断面コ字状に形成されている。スライド凹部４の溝を形成する壁部間の長さは、例えば、第１カム２３又は第２カム２４の上面と下面の間隔より若干長い寸法で形成されていることが好ましい。スライド凹部４の壁部の高さ（溝の深さ）は、重ねあわされた第１カム２３及び第２カム２４がスライド凹部４に嵌入されて係合し得る寸法で形成されていることが好ましい。これにより、開閉ユニット２０の第１カム２３及び第２カム２４がスライド凹部４にそれぞれ挿入されて係合されることにより、第１筐体１１と第２筐体１２が互いにその長手方向にすなわち直線方向に閉成状態と開成状態との間でスライドし得るようになっている。
【００３８】
スライド制御機構６は、全開位置において、第１筐体１１と第２筐体１２を互いにスライドし得るものである。すなわち、スライド制御機構６は、ディスプレイ部１２ａが上面に位置されて第２筐体１２によって第１筐体１１の上面が覆われていることなく第１筐体１１の上面が露出している回動角度が１８０°の全開開成状態（図１（ｂ）及び図２参照。）のときに、第１筐体１１と第２筐体１２が互いに回動して閉成動作を行うか、互いにスライドして閉成動作を行うかのどちらか一方の閉成動作を行えると共に、一旦どちらか一方の動作が行われたときには再び全開位置に第１筐体１１と第２筐体１２と位置されない限り他の動作を行えないように構成されていることが好ましい。このスライド制御機構６は、例えば、シャフト２１を貫通する貫通孔２３ａが偏心位置に設けられたカムである第１カム２３と、回動凹部３に偏心されて連通されているスライド凹部４とで構成されていることが好ましい。
【００３９】
第１カム２３の貫通孔２３ａは、第１カム２３の上面又は下面のどちらか一方に偏心した位置に設けられていることが好ましい。第１カム２３は、シャフト２１に対して偏心して回動するようにシャフト２１に支持されていることが好ましい。また、開閉ユニット２０をユニット収容部１４に収容したとき、シャフト２１の軸及びボールベアリング７３が第１カム２３の上面側に偏心した位置に位置されるようにすることが好ましい（Ａ＜Ｂ（図５（ｃ）参照。））。
【００４０】
回動凹部３は、第２筐体１２の側部の一端部（スピーカー部１２ｂ側の端部）近傍にのみ、すなわち、スライド凹部４の一端部にのみ配置されていることが好ましい。また、スライド凹部４は、回動凹部３に偏心されて連通されていることが好ましい。すなわち、スライド凹部４は、回動凹部３内のシャフト２１の軸に対して第２筐体１２の両側部のどちらか一方の側部側に偏心して設けられていることが好ましい。スライド凹部４は、例えば、ディスプレイ部１２ａを有する面の側部側に偏心して設けられていることが好ましい（Ｃ＜Ｄ（図７（ｂ）参照。））。これにより、第１筐体１１の上面が露出している回動角度が１８０°の全開開成状態（図１（ｂ）及び図２参照。）のときに、第１筐体１１と第２筐体１２が互いに回動して閉成動作を行うか、互いにスライドして閉成動作を行うかのどちらか一方の閉成動作を行えると共に、第１筐体１１と第２筐体１２が互いにスライドして第１筐体１１と第２筐体１２が互いに重なり合うスライド位置である閉成状態（第２閉成状態ということがある。）になるように構成されている。
【００４１】
また、回動凹部３には、シャフト２１の先端面から突出するボールベアリング７３が係合する球面状の第１ベアリング係合部８１が設けられていることが好ましい。また、スライド凹部４には、第１筐体１１と第２筐体１２が互いにスライドして第１筐体１１の上面を第２筐体１２で覆う閉成状態のときに、その状態を保持すべくボールベアリング７３が係合する球面状の第２ベアリング係合部８２が設けられていることが好ましい。
【００４２】
また、スライド凹部４内には、ボールベアリング７３が摺動する摺動部８３を設けてもよい。摺動部８３は、ベアリング係合部８１、８２より深さが浅い例えば断面円形状に形成されていることが好ましい。摺動部８３は、例えば、第１ベアリング係合部８１及び第２ベアリング係合部８２を連結すると共に、スライド凹部４に沿って開閉ユニット２０がスライド移動するとき、ボールベアリング７３と対向する直線上に形成されている。
【００４３】
次に本発明に係る開閉機構１及び携帯電話機１０の作用を説明する。
【００４４】
携帯電話機１０が使用されていない通常の状態では、第１筐体１１と第２筐体１２が互いに重なり合った第１閉成状態である。この第１閉成状態としては、図１（ａ）に示すように、第１筐体１１の上面のキーボード部１１ａ等がディスプレイ部１２ａが設けられている面を下面とした第２筐体１２によって閉塞されている回動角度が０°である状態がある。この状態のとき、開閉ユニット２０の第１カム２３及び第２カム２４が回動凹部３に挿入されて係合しているが、回動角度が０°で、カム凸部２６とカム凹部２７とが係合してロック状態に保持されている。また、第２カム２４が回動凹部３の第２凹部に挿入されているが、このときの第２カム２４とスライド凹部４との位置がずれているので、開閉ユニット２０がスライド凹部４に係合することがない。すなわち、第１筐体１１と第２筐体１２が互いにスライドすることがない。
【００４５】
この携帯電話機１０を使用する場合には、例えば、第１筐体１１を左手で持つと共に第２筐体１２を右手で持って、この第２筐体１２をシャフト２１の軸周りに第１筐体１１から離れる方向に回動する（開く）。これにより、カム凸部２６がカム凹部２７から脱して（係合が解除されて）、回動角度が１５０°になると、カム凸部２６がカム凹部２７に入り込んで係合してロック状態に保持され、中間開成状態になる。すなわち、第２筐体１２が通話可能な開かれた開成状態になる。これにより、通話等を行うことができる。また、さらに第２筐体１２を回動させて回動角度が１８０°になると、図１（ｂ）及び図２に示すように、カム凸部２６がカム凹部２７に入り込んで係合してロック状態に保持され、全開開成状態になる。この状態においても通話等可能である。
【００４６】
通話等の後、第１閉成状態に戻すには、例えば、第１筐体１１を左手で持つと共に第２筐体１２を右手で持って、この第２筐体１２をシャフト２１の軸周りに逆方向である閉方向（第２筐体１２と第１筐体１１とが近づく方向）に回動する。これにより、カム凸部２６とカム凹部２７との係合が解除されて、回動角度が０°になると、カム凸部２６がカム凹部２７に入り込んで係合してロック状態に保持される。すなわち、第１筐体１１と第２筐体１２が互いに重なり合った第１閉成状態となる。
【００４７】
また、本発明に係る携帯電話機１０は、通話の他に、例えば、通信回線を利用した機能等によりＬＣＤなどのディスプレイ部１２ａに動画を表示させてその動画を観る場合には、中間開成状態及び全開開成状態において利用できる上に、さらに第２閉成状態においても利用できる。また、全開開成状態つまり回動角度が１８０°になると、第２筐体１２が第１筐体１１に対して１８０°回動したことにより、第２カム２４とスライド凹部４との位置が一致（略一致を含む。）するので、この全開開成状態では、第１筐体１１と第２筐体１２が互いに回動して第１閉成動作を行うか、互いにスライドして閉成動作を行うかのどちらか一方の閉成動作を行える。このとき、ボールベアリング７３が第１ベアリング係合部８１に係合しているので、スライドすることもなく第１筐体１１と第２筐体１２が互いに重なり合った全開閉成状態に保持される。
【００４８】
このため、例えば、第１筐体１１を左手で持つと共に第２筐体１２を右手で持って、この第２筐体１２を第１筐体１１に対して第１筐体１１の先端部から後端部側にスライドさせる。すると、ボールベアリング７３が第１ベアリング係合部８１から脱して（係合が解除されて）、摺動部８３を摺動する。そして、開閉ユニット２０の第１カム２３及び第２カム２４がスライド凹部４の端部に当接すると、図１（ｃ）に示すように、ボールベアリング７３が第２ベアリング係合部８２に係合して、第１筐体１１と第２筐体１２が第２閉成状態で保持される。このように、ディスプレイ部１２ａを上面にして第１筐体１１と第２筐体１２を互いに重なり合わせた第２閉成状態とすることができるので、例えば、そのディスプレイ部１２ａに表示させた動画を観る場合には、第２筐体１２が邪魔になることがないので、操作性が向上する。
【００４９】
この第２閉成状態の携帯電話機１０を開くには、例えば、第１筐体１１を左手で持つと共に第２筐体１２を右手で持って、この第２筐体１２を第１筐体１１に対して第１筐体１１の後端部から先端部側にスライドさせる。これにより、ボールベアリング７３が第２ベアリング係合部８２から脱して（係合が解除されて）、摺動部８３を摺動し、そして、開閉ユニット２０の第１カム２３及び第２カム２４がスライド凹部４の端部に当接すると共に、ボールベアリング７３が第１ベアリング係合部８１に係合して、第１筐体１１と第２筐体１２が全開開成状態で保持される（図１（ｂ）及び図２参照。）。
【００５０】
したがって、本発明に係る開閉機構１及び携帯電話機１０は、第１筐体１１と第２筐体１２をその一端部を支点として開閉して第１筐体１１と第２筐体１２の閉成位置と中間開成位置と全開位置を形成でき、さらに、全開位置において直線方向にスライドさせて第１筐体１１と第２筐体１２が互いに重なり合う第２閉成状態であるスライド位置を形成できるので、通常の回動による開閉とスライドによる開閉の両方の動作を行え、操作性が向上する。
【００５１】
また、第１筐体１１と第２筐体１２を互いに回動させて開閉操作を行うとき、カム凸部２６の先端面がカム凹部２７から脱して、第２カムのカム凹部２７以外の平面上の接触面に接触しつつ摺動しているときに、第２筐体１２の回動を止めると、カム凸部２６の先端面の接触による摩擦力によって第２筐体１２はその位置に停止する。すなわち、回動角度がフリーストップ角度であれば、その角度に第２筐体１２を停止することができる。
【００５２】
また、第１筐体１１と第２筐体１２を互いにスライドさせて開閉操作を行うとき、第２筐体１２を第１筐体１１に対してスライドさせている途中でこのスライドを停止すると、その位置に第２筐体１２を停止することができる。すなわち、第２筐体１２を第１筐体１１に対してスライドさせると、ボールベアリング７３がスライド凹部４内の摺動部８３に摺動しつつ圧縮コイルスプリング７５の付勢力により摺動部８３に押圧されている。このため、第２筐体１２を停止すると、ボールベアリング７３と摺動部８３の接触による摩擦力によって第２筐体１２はその位置に停止する。よって、第２筐体１２を第１筐体１１に対して所望の位置に停止させることができる。
【産業上の利用可能性】
【００５３】
以上説明したように本発明に係る携帯機器は、第１筐体と第２筐体をその一端部を支点として開閉して第１筐体と第２筐体の閉成位置と中間開成位置と全開位置を形成でき、さらに、全開位置において直線方向にスライドさせて第１筐体と第２筐体が互いに重なり合う閉成状態であるスライド位置を形成できるために、通常の回動による開閉とスライドによる開閉の両方の動作を行え、操作性が向上するので、携帯端末の中でもとくに携帯電話機として好適に用いられるものである。
【図面の簡単な説明】
【００５４】
【図１】本発明に係る携帯機器である携帯電話機の一例を示す側面図で、（ａ）は回動動作による閉成状態を示す図、（ｂ）は回動動作による開成状態を示す図、（ｃ）はスライド動作による閉成状態を示す図である。
【図２】本発明に係る携帯機器である携帯電話機の一例における開成状態を示す平面図である。
【図３】本発明に係るスライド機構の一例を示す概略断面図である。
【図４】本発明に係る開閉ユニットの取付状態を示す概略斜視図である。
【図５】本発明に係る開閉ユニットの一例を示す図で、（ａ）は斜視図、（ｂ）は側面図、（ｃ）は正面図、（ｄ）は分解断面図である。
【図６】本発明に係る回動凹部及びスライド凹部の一例を示す概略斜視図である。
【図７】本発明に係る回動凹部の要部を示す図で、（ａ）は斜視図、（ｂ）は正面図である。
【符号の説明】
【００５５】
１  開閉機構
２  係合凸部
３  回動凹部
４  スライド凹部
５  回動カム機構
６  スライド制御機構
１０  携帯電話機
１１  第１筐体
１２  第２筐体
１２ａ  ディスプレイ部
２０  開閉ユニット
２１  シャフト
２２  ケース
２３  第１カム
２４  第２カム
２５  付勢手段
２６  カム凸部
２７  カム凹部
３１  第１凹部
３２  第２凹部（カム係合部）
７０  ボールユニット
７３  ボールベアリング
８１  第１ベアリング係合部
８２  第２ベアリング係合部
８３  摺動部
【図１】
2006266453.tif 000003
【図２】
2006266453.tif 000004
【図３】
2006266453.tif 000005
【図４】
2006266453.tif 000006
【図５】
2006266453.tif 000007
【図６】
2006266453.tif 000008
【図７】
2006266453.tif 000009